(57)【要約】【課題】簡易な構造で画像表示装置本体の表示面から塵埃を除去できるようにする。【解決手段】示面保護カバー１０は、保護パネル１１、側壁部１２及び取付部材１６を備える。保護パネル１１は、画像表示装置本体２０の表示面２３との間に間隙部３１を設けて表示面２３を覆う。側壁部１２は、間隙部３１と外部空間３３とを連通させる開口部１３を有する。取付部材１６は、係止部１６１及び重合部１６２を有する。重合部１６２は、保護パネル１１及び側壁部１２が取付位置に配された状態では開口部１３を閉塞し、保護パネル１１及び側壁部１２が開放位置に配された状態では開口部１３を開放するように構成される。【選択図】図３
2016188917.tif 000002
【特許請求の範囲】
【請求項１】
画像表示装置本体の表示面との間に間隙部を設けて前記表示面を覆うパネル部材、及び前記パネル部材の外周縁部から延びて前記画像表示装置本体の外周端面に全周にわたって重なる側壁部であって前記間隙部と外部空間とを連通させる少なくとも１個の開口部を有する側壁部を含むカバー部材と、
前記画像表示装置本体に係止される係止部及び前記側壁部に重なり合う重合部を有し、前記カバー部材を前記画像表示装置本体に着脱自在に取り付ける取付部材とを備え、
前記重合部は、前記カバー部材が前記画像表示装置本体に取り付けられた取付位置に配された状態では前記開口部を閉塞し、前記カバー部材が前記表示面に対して直交かつ離間する方向に前記側壁部が前記外周端面に重なる範囲内において移動した開放位置に配された状態では前記開口部を開放するように構成される、表示面保護カバー。
【請求項２】
前記カバー部材は、前記開口部よりも前記間隙部側に設けられた当接部をさらに備え、
前記当接部は、前記カバー部材が前記取付位置に配された状態において、前記画像表示装置本体に当接することで前記間隙部と前記開口部を通した外部空間とを仕切るように構成される、請求項１に記載の表示面保護カバー。
【請求項３】
前記側壁部及び前記重合部のうち一方は長孔を有し他方は前記長孔と連通する丸孔を有し、
前記長孔は、前記カバー部材が前記表示面に対して直交する方向に前記側壁部が前記外周端面に重なる範囲内において移動する際に、前記丸孔が前記長孔と連通する範囲内で相対移動するように構成される、請求項１又は２に記載の表示面保護カバー。
【請求項４】
前記長孔及び前記丸孔は、複数組設けられる、請求項３に記載の表示面保護カバー。
【請求項５】
画像表示装置本体と、
請求項１から４のいずれかに記載の表示面保護カバーと、を備える画像表示装置。
【発明の詳細な説明】
【技術分野】
【０００１】
この発明は、画像表示装置本体の表示面を保護するように画像表示装置本体に装着される表示面保護カバー及びこれを備える画像表示装置に関する。
【背景技術】
【０００２】
画像表示装置本体の表示面に塵埃が付着すると、表示面に表示される画像が不鮮明になる。このため、表示面を定期的に清掃することが望まれる。例えば、筺体内から、表示面の全周に設けられた空気吹き出し口を通して、表示面へ空気を吹き出すことで、表示面に付着する塵埃を除去する技術が知られている（例えば、特許文献１参照。）。特許文献１に記載の画像表示装置本体の表示面は、外部に露出している。
【０００３】
近年、公共空間における情報表示用途、アミューズメント用途、及び業務用途等で、視聴者の目線高さに画像表示装置が設置されることがあり、この場合、画像表示装置本体の表示面を保護するために表示面保護カバーが備えられることが多い。従来の表示面保護カバーは、表示面との間に間隙部を設けて表示面を被覆し、間隙部を密閉するように画像表示装置本体に装着される。間隙部を密閉することで、間隙部に塵埃が入らないように意図されている。
【先行技術文献】
【特許文献】
【０００４】
【特許文献１】特開２０１０−２６６７３５号公報
【発明の概要】
【発明が解決しようとする課題】
【０００５】
しかし、表示面保護カバーが実際の設置現場で画像表示装置本体に装着される場合、表示面と表示面保護カバーとの間隙部に塵埃が入って塵埃が表示面に付着してしまうことがある。従来の表示面保護カバーでは、間隙部が密閉されているので、表示面に付着した塵埃を外部から除去することはできない。塵埃を表示面から除去するために表示面保護カバーを画像表示装置本体から取り外すと、さらに別の塵埃が間隙部に入って表示面に付着してしまうので、従来の表示面保護カバーでは、表示面から塵埃を除去することは困難である。
【０００６】
なお、特許文献１に記載の技術は、表示面が外部に露出した画像表示装置本体に適用されたものであり、画像表示装置本体の改造が必要となる。即ち、特許文献１に記載の技術では、画像表示装置本体の筺体内にファンモータを備える必要がある。このため、画像表示装置本体の構造の複雑化、大型化、及びコストの高騰の虞がある。
【０００７】
この発明の目的は、簡易な構造で画像表示装置本体の表示面から塵埃を除去できる表示面保護カバー及びこれを備える画像表示装置を提供することにある。
【課題を解決するための手段】
【０００８】
この発明の表示面保護カバーは、カバー部材、及び取付部材を備える。カバー部材は、画像表示装置本体の表示面との間に間隙部を設けて表示面を覆うパネル部材、及びパネル部材の外周縁部から延びて画像表示装置本体の外周端面に全周にわたって重なる側壁部であって間隙部と外部空間とを連通させる少なくとも１個の開口部を有する側壁部を含む。取付部材は、画像表示装置本体に係止される係止部及び側壁部に重なり合う重合部を有し、カバー部材を画像表示装置本体に着脱自在に取り付ける。重合部は、カバー部材が画像表示装置本体に取り付けられた取付位置に配された状態では開口部を閉塞し、カバー部材が表示面に対して直交かつ離間する方向に側壁部が外周端面に重なる範囲内において移動した開放位置に配された状態では開口部を開放するように構成される。
【０００９】
この構成では、カバー部材が取付位置に配された状態において、カバー部材によって間隙部が密閉され、重合部によって開口部が閉塞される。カバー部材を開放位置に移動させることで、開口部のみで間隙部と外部空間とが連通するようになる。このように、カバー部材を画像形成装置本体に取り付ける取付部材によって、間隙部と外部空間とを連通させる開口部を、開放及び閉塞させることができる。カバー部材を開放位置に移動させた状態で、開口部から間隙部内に空気を吹き入れることで、表示面に付着していた塵埃は表示面から剥がれて落下する。
【００１０】
上述の構成において、カバー部材は、開口部よりも間隙部側に設けられた当接部をさらに備え、当接部は、カバー部材が取付位置に配された状態において、画像表示装置本体に当接することで間隙部と開口部を通した外部空間とを仕切るように構成することができる。
【００１１】
この構成では、カバー部材が取付位置に配された状態において、開口部が重合部によって閉塞されることに加えて、当接部が画像表示装置本体に当接することで、２重に間隙部と外部空間とが仕切られる。このため、間隙部の密閉性が向上する。また、カバー部材を取付位置から開放位置へ移動させるという１つの操作で、開口部を開放させることと、当接部による仕切りを開放することの両方を行うことができる。同様に、カバー部材を開放位置から取付位置へ移動させるという１つの操作で、開口部を閉塞させることと、当接部によって仕切ることの両方を行うことができる。このため、操作性が良い。
【００１２】
また、側壁部及び重合部のうち一方は長孔を有し他方は長孔と連通する丸孔を有し、長孔は、カバー部材が表示面に対して直交する方向に側壁部が外周端面に重なる範囲内において移動する際に、丸孔が長孔と連通する範囲内で相対移動するように構成することができる。
【００１３】
この構成では、長孔を通して丸孔にビスを取り付けることで、丸孔が長孔と連通する範囲内で長孔に対して相対移動し、この範囲を超えた移動が規制される。また、長孔と連通する範囲を超えた丸孔の移動が規制されることで、側壁部が外周端面に重なる範囲を超えたカバー部材の画像表示装置本体に対する移動も規制される。これによって、カバー部材を取付位置から開放位置へ移動させても、開口部を除く箇所からの間隙部と外部空間との連通を防止することができる。
【００１４】
さらに、長孔及び丸孔は、複数組設けられることが好ましい。
【００１５】
この構成では、長孔及び丸孔が複数組設けられることで、長孔又は丸孔を中心とする取付部材の回転が防止され、カバー部材を取付位置と開放位置との間で移動させる操作性が向上する。
【００１６】
この発明の画像表示装置は、画像表示装置本体と、上述のいずれかの構成の表示面保護カバーとを備える。
【００１７】
この構成では、カバー部材が取付位置に配された状態において、カバー部材によって間隙部が密閉され、重合部によって開口部が閉塞される。カバー部材を開放位置に移動させることで、開口部のみで間隙部と外部空間とが連通するようになる。このように、カバー部材を画像形成装置本体に取り付ける取付部材によって、間隙部と外部空間とを連通させる開口部を、開放及び閉塞させることができる。カバー部材を開放位置に移動させた状態で、開口部から間隙部内に空気を吹き入れることで、表示面に付着していた塵埃は表示面から剥がれて落下する。
【発明の効果】
【００１８】
この発明によれば、簡易な構造で画像表示装置本体の表示面から塵埃を除去することができる。
【図面の簡単な説明】
【００１９】
【図１】この発明の第１実施形態に係る表示面保護カバーを備える画像表示装置の斜視図である。
【図２】表示面保護カバーに備えられる取付部材の斜視図である。
【図３】取付位置に配された状態の表示面保護カバーの一部の、長孔を含む断面における側面断面図である。
【図４】開放位置に配された状態の表示面保護カバーの一部の、長孔を含む断面における側面断面図である。
【図５】取付位置に配された状態の表示面保護カバーの一部の、開口部を含む断面における側面断面図である。
【図６】開放位置に配された状態の表示面保護カバーの一部の、開口部を含む断面における側面断面図である。
【図７】第２実施形態に係る表示面保護カバーの一部の取付位置に配された状態の開口部を含む断面における側面断面図である。
【図８】第２実施形態に係る表示面保護カバーの一部の開放位置に配された状態の開口部を含む断面における側面断面図である。
【図９】第２実施形態に係る表示面保護カバーに備えられる取付部材の斜視図である。
【発明を実施するための形態】
【００２０】
図１〜図４に示すように、この発明の第１実施形態に係る表示面保護カバー１０を備える画像表示装置１は、画像表示装置本体２０をさらに備える。
【００２１】
画像表示装置本体２０は、表示パネル２１、及びベゼル２２を有する。一例として、画像表示装置本体２０は、前面視で矩形に形成され、上下左右の外周に端面を有している。表示パネル２１は、板状に形成されている。一例として、表示パネル２１は、液晶表示パネルである。ベゼル２２は、表示パネル２１の少なくとも外周端面及び前面の外周縁部に取り付けられている。表示パネル２１の前面のうち、ベゼル２２から露出した部分が、表示面２３である。
【００２２】
表示面保護カバー１０は、保護パネル１１、側壁部１２、及び複数の取付部材１６を備え、ベゼル２２に沿った外形を有している。保護パネル１１は、パネル部材である。保護パネル１１及び側壁部１２は、カバー部材を構成する。
【００２３】
保護パネル１１は、保護パネル１１を通して表示面２３を視認可能なように、透明部材で構成されている。一例として、保護パネル１１は、ガラス板で構成される。
【００２４】
側壁部１２は、保護パネル１１の外周縁部に沿った、上辺部１２１、下辺部１２２、左辺部１２３、及び右辺部１２４を有する。側壁部１２は、保護パネル１１の外周縁部を全周にわたって保持し、保護パネル１１の外周縁部から保護パネル１１の主面に直交する一方向へ全周にわたって延びている。以下では、側壁部１２については上辺部１２１を例に挙げて説明するが、下辺部１２２、左辺部１２３、及び右辺部１２４についても同様に構成される。
【００２５】
側壁部１６が画像表示装置本体２０の外周端面に全周にわたって重なるように、表示面保護カバー１０が画像表示装置本体２０に嵌め込まれる。これによって、表示面保護カバー１０は、保護パネル１１と表示面２３との間に間隙部３１を設けて表示面２３を透視自在に被覆する。また、間隙部３１は、表示面２３、保護パネル１１、及び上下左右の側壁部１２によって囲われ、密閉される。側壁部１６と画像表示装置本体２０の外周端面のベゼル２２との間にシール部材３２が挟まれることで、間隙部３１の密閉性が向上する。
【００２６】
取付部材１６は、上辺部１２１、下辺部１２２、左辺部１２３、及び右辺部１２４のそれぞれに少なくとも１個ずつ配置されている。取付部材１６は、上辺部１２１、下辺部１２２、左辺部１２３、及び右辺部１２４のそれぞれに、複数個ずつ配置されていることが好ましい。
【００２７】
取付部材１６は、画像表示装置本体２０に係止される係止部１６１、及び側壁部１２に重なり合う重合部１６２を有している。
【００２８】
取付部材１６は、重合部１６２に、長孔１６３、丸孔１６４，１６５、及び切り欠き部１６６，１６７を有している。
【００２９】
図３に示すように、側壁部１２は、長孔１６３と連通する位置に丸孔１２５を有している。丸孔１２５には雌ネジが切られている。係止部１６１が画像表示装置本体２０の背面に係止され、孔孔１６３を通して丸孔１２５にビス３９が取り付けられることで、保護パネル１１及び側壁部１２が画像表示装置本体２０に着脱自在に取り付けられる。
【００３０】
側壁部１２は、保護パネル１１及び側壁部１２が図３に示す所定の取付位置に配された状態において丸孔１６４，１６５と連通する位置に、固定孔をそれぞれ有している。固定孔は丸孔である。取付部材１６の丸孔１６４，１６５と側壁部の固定孔とを挿通させるようにビスを取り付けることで、保護パネル１１及び側壁部１２が取付位置に固定される。
【００３１】
保護パネル１１及び側壁部１２を、図３に示す取付位置から、ビス３９を緩めて、表示面２３に対して直交かつ離間する方向に、側壁部１２がベゼル２２に重なる範囲内において移動させることで、図４に示す開放位置に配することができる。
【００３２】
長孔１６３を通して丸孔１２５にビス３９を取り付けることで、丸孔１２５が長孔１６３と連通する範囲内で長孔１６３に対して相対移動し、この範囲を超えた移動が規制される。また、長孔１６３と連通する範囲を超えた丸孔１２５の移動が規制されることで、側壁部１２がベゼル２２に重なる範囲を超えた保護パネル１１及び側壁部１２の画像表示装置本体２０に対する移動も規制される。これによって、保護パネル１１及び側壁部１２を取付位置から開放位置へ移動させても、後述する開口部１３を除く箇所からの間隙部３１と外部空間３３との連通を防止することができる。
【００３３】
図５及び図６に示すように、側壁部１２は、少なくとも１個の開口部１３を有している。この第１実施形態では、側壁部１２は、上辺部１２１、下辺部１２２、左辺部１２３、及び右辺部１２４のそれぞれに少なくとも１個ずつ開口部１３を有している。開口部１３は，切り欠き部１６６，１６７のそれぞれに対応する位置に設けられている。開口部１３は、保護パネル１１及び側壁部１２が取付位置に配された状態では取付部材１６の重合部１６２によって閉塞され、保護パネル１１及び側壁部１２を開放位置へ移動させることで、開口部１３のみで間隙部３１と外部空間３３とが連通するようになる。
【００３４】
このように、保護パネル１１及び側壁部１２を画像形成装置本体２０に取り付ける取付部材１６によって、間隙部３１と外部空間３３とを連通させる開口部１３を、開放及び閉塞させることができる。保護パネル１１及び側壁部１２を開放位置に移動させた状態で、開口部１３から間隙部３１内に空気を吹き入れることで、表示面２３に付着していた塵埃は表示面２３から剥がれて落下する。したがって、簡易な構造で画像表示装置本体２０の表示面２３から塵埃を除去することができる。
【００３５】
保護パネル１１及び側壁部１２を表示面２３に対して直交かつ離間する方向において、開口部１３が切り欠き部１６６，１６７の下流側に設けられているので、切り欠き部１６６，１６７の大きさを調整することで開口部１３の配置を調整しやすくなる。このため、開口部１３の配置の自由度が向上する。
【００３６】
なお、上辺部１２１の開口部１３から間隙部３１内に空気を吹き入れるとともに、下辺部１２２の開口部１３から間隙部３１内の空気を吸引することもできる。これによって、表示面２３から剥がれ落ちた塵埃を外部空間３３へ除去することができ、塵埃の表示面２３への再付着を抑制することができる。
【００３７】
図７及び図８に示すように、第２実施形態に係る表示面保護カバー１０Ａは、開口部１３よりも間隙部３１側に設けられた当接部１７をさらに備える点に特徴を有し、他の点については表示面保護カバー１０と同様に構成されている。
【００３８】
側壁部１２は、画像表示装置本体２０側の面であって開口部１３よりも間隙部３１側の位置に、当接部１７を有している。当接部１７は、画像表示装置本体２０側へ突出している。当接部１７は、密閉性が高い部材で構成されることが好ましい。当接部１７は、間隙部３１の上下左右の外周を囲む全域に設けられている。
【００３９】
当接部１７は、保護パネル１１及び側壁部１２が取付位置に配された状態において、ベゼル２２に圧接し、間隙部３１と、開口部１３を通した外部空間３３とを、仕切る。これによって、間隙部３１は、表示面２３、保護パネル１１、及び当接部１７によって密閉される。
【００４０】
保護パネル１１及び側壁部１２が取付位置に配された状態において、開口部１３が重合部１６２によって閉塞されることに加えて、当接部１７がベゼル２２に当接することで、二重に間隙部３１と外部空間３３とが仕切られる。このため、間隙部３１の密閉性が向上する。また、保護パネル１１及び側壁部１２を取付位置から開放位置へ移動させるという１つの操作で、開口部１３を開放させることと、当接部１７による仕切りを開放することの両方を行うことができる。同様に、保護パネル１１及び側壁部１２を開放位置から取付位置へ移動させるという１つの操作で、開口部１３を閉塞させることと、当接部１７によって仕切ることの両方を行うことができる。このため、操作性が良い。
【００４１】
図８に示すように、保護パネル１１及び側壁部１２を取付位置から開放位置へ移動させて、開口部１３を開放させるとともに、当接部１７による仕切りを開放させた状態で、開口部１３から間隙部３１内に空気を吹き入れることで、表示面２３に付着していた塵埃は表示面２３から剥がれて落下する。
【００４２】
図９に示すように、第３実施形態に係る表示面保護カバー１０Ｂは、長孔１６３及び丸孔１２５と同様の長孔及び丸孔を、複数組備える点を特徴とし、他の点については表示面保護カバー１０又は表示面保護カバー１０Ａと同様に構成される。
【００４３】
取付部材１６Ｂは、複数の長孔１６３Ａ，１６３Ｂを有している。側壁部１２Ｂは、長孔１６３Ａ，１６３Ｂとそれぞれ連通する位置に、丸孔１２５Ａ，１２５Ｂを有している。
【００４４】
複数組の長孔１６３Ａ，１６３Ｂ及び丸孔１２５Ａ，１２５Ｂは、互いに離間していることが好ましい。
【００４５】
長孔１６３Ａ，１６３Ｂ及び丸孔１２５Ａ，１２５Ｂが複数組設けられることで、長孔１６３Ａ，１６３Ｂ又は丸孔１２５Ａ，１２５Ｂを中心とする取付部材１６Ｂの回転が防止され、保護パネル１１及び側壁部１２Ｂを取付位置と開放位置との間で移動させる操作性が向上する。
【００４６】
なお、長孔１６３，１６３Ａ，１６３Ｂを丸孔にするとともに、丸孔１２５，１２５Ａ，１２５Ｂを長孔にすることもできる。
【００４７】
また、表示面保護カバー１０，１０Ａ，１０Ｂは、必ずしも切り欠き部１６６，１６７を有している必要はない。
【００４８】
上述の実施形態のそれぞれの技術的特徴を互いに組み合わせることで、新たな実施形態を構成することが考えられる。
【００４９】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５０】
１  画像表示装置
１０，１０Ａ，１０Ｂ  表示面保護カバー
１１  保護パネル（パネル部材）
１２，１２Ｂ  側壁部
１２５，１２５Ａ，１２５Ｂ  丸孔
１３  開口部
１６，１６Ｂ  取付部材
１６１  係止部
１６２  重合部
１６３，１６３Ａ，１６３Ｂ  長孔
１７  当接部
２０  画像表示装置
２２  ベゼル
２３  表示面
３１  間隙部
３３  外部空間
【図１】
2016188917.tif 000003
【図２】
2016188917.tif 000004
【図３】
2016188917.tif 000005
【図４】
2016188917.tif 000006
【図５】
2016188917.tif 000007
【図６】
2016188917.tif 000008
【図７】
2016188917.tif 000009
【図８】
2016188917.tif 000010
【図９】
2016188917.tif 000011